(57)【要約】【課題】紙幣取扱装置において、シャッタが完全に閉まりきらないという障害が発生するのを防止する。【解決手段】紙幣Ｂを投入するための入金口１２０と、紙幣をＢ取り出すための出金口１４０と、出金口１４０の開口空間を遮断もしくは解放するように開閉するシャッタ１５０と、シャッタ１５０が閉じた閉状態でシャッタ１５０の下側に位置しシャッタ１５０が開いた開状態で保持点を支点１４２ａ、１４２ｂとして開閉する可動プレート１４１ａ、１４１ｂとを有する。保持点である支点１４２ａ、１４２ｂは、シャッタ１５０が開いた開状態でシャッタ側に位置する。【選択図】図５
2020027310.tif 000002
【特許請求の範囲】
【請求項１】
紙幣を投入するための入金口と、
前記紙幣を取り出すための出金口と、
前記出金口の開口空間を遮断もしくは解放するように開閉するシャッタと、
前記シャッタが閉じた閉状態で前記シャッタの下側に位置し、前記シャッタが開いた開状態で保持点を支点として開閉する可動プレートと、を有し、
前記保持点は、前記シャッタが開いた前記開状態でシャッタ側に位置することを特徴とする紙幣取扱装置。
【請求項２】
前記出金口には、入金取引中に発生したリジェクト紙幣が搬送されることを特徴とする請求項１に記載の紙幣取扱装置。
【請求項３】
前記可動プレートは、一端が前記保持点により保持され他端は保持されず、前記保持点を支点として開閉することを特徴とする請求項１に記載の紙幣取扱装置。
【請求項４】
前記シャッタは、
前記閉状態において、前記出金口の前記開口空間を遮断し、
前記開状態において、前記出金口の前記開口空間を解放することを特徴とする請求項１に記載の紙幣取扱装置。
【請求項５】
前記可動プレートの前記保持点に設けられ、前記可動プレートを閉じる方向に付勢するばね部材を更に有することを特徴とする請求項１に記載の紙幣取扱装置。
【請求項６】
前記可動プレートは、
前記出金口に搬送されてくる前記紙幣を閉状態で受け止め、前記出金口に搬送された前記紙幣を取り出す際に開状態になることを特徴とする請求項１に記載の紙幣取扱装置。
【請求項７】
前記可動プレートは、透明のプレートで形成され、
前記出金口の所定位置に設けられ、透明の前記可動プレートに光を照射する光源を更に有することを特徴とする請求項１に記載の紙幣取扱装置。
【請求項８】
紙幣を投入するための入金口と、
前記紙幣を取り出すための出金口と、
前記出金口の開口空間を遮断もしくは解放するように開閉するシャッタと、
前記シャッタが閉じた閉状態で前記シャッタの下側に位置し、前記シャッタが開いた開状態で第１の保持点を支点として開閉する第１の可動プレートと、
前記第１の可動プレートの下側に設けられ、前記第１の保持点と異なる第２の保持点を支点として開閉する第２の可動プレートと、を有し、
前記第１の可動プレートの前記第１の保持点は、前記シャッタが開いた前記開状態でシャッタ側に位置し、
前記第２の可動プレートの前記第２の保持点は、前記シャッタ側とは反対側に位置することを特徴とする紙幣取扱装置。
【請求項９】
前記第１の可動プレートは、前記開口空間の一部分を覆い、
前記第２の可動プレートは、前記開口空間の他の部分を覆い、
前記第１の可動プレート及び前記第２の可動プレートは、閉状態で前記開口空間の全ての部分を覆うことを特徴とする請求項８に記載の紙幣取扱装置。
【請求項１０】
前記第２の可動プレートは、一端が前記第２の保持点により保持され他端は保持されず、
前記第２の可動プレートの前記他端は、開状態及び閉状態において前記第１の可動プレートの下側に位置することを特徴とする請求項８に記載の紙幣取扱装置。
【発明の詳細な説明】
【技術分野】
【０００１】
本発明は、紙幣取扱装置に関する。
【背景技術】
【０００２】
紙幣を投入する入金口と、出金紙幣の搬送先と入金取引で発生したリジェクト紙幣の搬送先を兼ねる出金口を有する紙幣取扱装置が知られている。このような紙幣取扱装置では、入金口にはシャッタを実装せずに、紙幣の積み増しが可能に構成されている。そして、出金口にモータ等のアクチュエータにより、出金口の紙幣集積空間である開口空間を遮断もしくは解放するように開閉するシャッタを搭載しているものがある。
【０００３】
例えば、特許文献１に記載の紙幣取扱装置では、入金時は紙幣の連続投入が可能である。さらに、出金口のシャッタを開けておくことで、操作者は入金取引でのリジェクト紙幣を出金口から入金口へ即時に再投入できる。
【０００４】
出金口のシャッタの紙幣集積空間側には、中央部分の手を挿入するスペース以外の所に、保持点を支点として可動する可動プレートが実装されている。
【０００５】
上記可動プレートは、自重により閉じている時には、集積される紙幣の上端を停止させ、紙幣取り出し時には、操作者が取り出す紙幣に押しのけられて開放する。入金時にシャッタが開いていても、可動プレートによって集積時に姿勢不良となった入金リジェクト紙幣の出金口からの飛び出しを防止する。
【先行技術文献】
【特許文献】
【０００６】
【特許文献１】特開２０１６−９９６７７号公報
【発明の概要】
【発明が解決しようとする課題】
【０００７】
しかしながら、特許文献１では、操作者の手前側に開閉するシャッタに対して、可動プレートを保持する保持点が開いたシャッタの反対側にある。このために、可動プレートが動作不良等で閉じない状態になってしまった場合に、シャッタが閉まる時に、シャッタが可動プレートを挟み込む可能性がある。この結果、シャッタが完全に閉まりきらないという障害が発生する恐れがある。
【０００８】
本発明の目的は、紙幣取扱装置において、シャッタが完全に閉まりきらないという障害が発生するのを防止することにある。
【課題を解決するための手段】
【０００９】
本発明の一態様の紙幣取扱装置は、紙幣を投入するための入金口と、前記紙幣を取り出すための出金口と、前記出金口の開口空間を遮断もしくは解放するように開閉するシャッタと、前記シャッタが閉じた閉状態で前記シャッタの下側に位置し、前記シャッタが開いた開状態で保持点を支点として開閉する可動プレートとを有し、前記保持点は、前記シャッタが開いた前記開状態でシャッタ側に位置することを特徴とする。
【００１０】
本発明の一態様の紙幣取扱装置は、紙幣を投入するための入金口と、前記紙幣を取り出すための出金口と、前記出金口の開口空間を遮断もしくは解放するように開閉するシャッタと、前記シャッタが閉じた閉状態で前記シャッタの下側に位置し、前記シャッタが開いた開状態で第１の保持点を支点として開閉する第１の可動プレートと、前記第１の可動プレートの下側に設けられ、前記第１の保持点と異なる第２の保持点を支点として開閉する第２の可動プレートとを有し、前記第１の可動プレートの前記第１の保持点は、前記シャッタが開いた前記開状態でシャッタ側に位置し、前記第２の可動プレートの前記第２の保持点は、前記シャッタ側とは反対側に位置することを特徴とする。
【発明の効果】
【００１１】
本発明の一態様によれば、紙幣取扱装置において、シャッタが完全に閉まりきらないという障害が発生するのを防止することができる。
【図面の簡単な説明】
【００１２】
【図１】紙幣取扱装置の概略外観を示す斜視図である。
【図２】紙幣取扱装置を平面視して窓口係員Ｍと顧客Ｋに対する位置関係を概略的に示す説明図である。
【図３】紙幣取扱装置の制御ブロック図である。
【図４】紙幣取扱装置の内部構成と紙幣搬送経路を概略的に示す断面図である。
【図５】実施例１のシャッタ及び可動プレートの構成を示す斜視図である。
【図６】実施例１のシャッタ及び可動プレートの構成を示す側面図である。
【図７】紙幣搬送経路の構成のうち入金搬送に関与する経路構成を概略的に説明する説明図である。
【図８】入金取引の制御フロー図である。
【図９】出金搬送に関与する経路構成を概略的に説明する説明図である。
【図１０】出金取引の制御フロー図である。
【図１１】実施例２のシャッタ及び可動プレートの構成を示す側面図である。
【図１２】実施例２のシャッタ及び可動プレートの構成を示す側面図である。
【図１３】実施例３の可動プレートの構成を示す側面図である。
【発明を実施するための形態】
【実施例１】
【００１３】
図１を参照して、紙幣取扱装置１００の構成について説明する。
図１に示すように、紙幣取扱装置１００は、その外観上、上下に区別され、下部領域を金庫１１０とし、その金庫１１０が有する筐体部１１２より上の上部領域を入出金機構部１１６とする。筐体部１１２は、金属製鋼板から形成され、図１における紙面手前側に、開閉並びに施錠可能な金属製の金庫扉１１３を備え、この金庫扉１１３と共に金庫１１０を構成する。紙幣取扱装置１００は、金庫扉１１３で閉じられた筐体部１１２に後述の紙幣識別部１７０や紙幣収納部２００などを収容しセキュリティを確保している。操作者は入金口１２０から紙幣を入金したり、出金口１４０から紙幣を取り出すことができる。
【００１４】
次に、図２を参照して、紙幣取扱装置１００の他の設置形態について説明する。図２は紙幣取扱装置１００を平面視して窓口係員Ｍと顧客Ｋに対する位置関係を概略的に示す説明図である。
【００１５】
入出金機構部１１６は、窓口係員により操作される操作パネル１１８を備える。上面に、図１における紙面手前側から紙面奥側、即ち装置前面側から後面側に掛けて、出金口１４０、入金口１２０の順に隣接して備える。
【００１６】
紙幣取扱装置１００は、顧客応対テーブルＤにて装置後面側が覆われ、入出金機構部１１６の入金口１２０と出金口１４０とを顧客Ｋに視認可能な構成としている。窓口係員Ｍは、顧客応対テーブルＤを挟んで顧客Ｋと対面し、操作パネル１１８の所定操作の他、顧客Ｋから預かった紙幣Ｂの入金口１２０への投入や出金口１４０に出金された紙幣の顧客Ｋへの受渡を行う。
【００１７】
次に、図３を参照して、紙幣取扱装置１００の制御ブロックの電気的構成について説明する。
図３に示すように、紙幣取扱装置１００は、電気的な機能ブロックとして、入金口１２０と、出金口１４０と、紙幣収納カセット２０１〜２０５と、紙幣識別部１７０と、操作パネル１１８と、搬送機構部１８０と、制御部３００とを備える。搬送機構部１８０は、後述するように、カセットごとのゲート２０１ｂを初めとするゲート群と、紙幣搬送経路に複数設置した検知センサ１８８の検知センサ群と、紙幣搬送を担う複数の駆動モータ１８９の駆動モータ群とを備える。
【００１８】
制御部３００は、主制御部３０１と、メモリ３０２と、操作端末Ｐと通信することができる上位通信部３０３とを有する。主制御部３０１は、主に制御用のマイクロプロセッサからなる。主制御部３０１は、入金口１２０や出金口１４０に含まれる紙幣送出及び搬送に関与する駆動機器等の他、搬送機構部１８０のゲート群及び駆動モータ群を、紙幣の入出金搬送に伴い駆動制御する。検知センサ群に含まれる検知センサ１８８は、後述の紙幣入金経路１８０ＩＮや紙幣出金経路１８０ＯＵＴにて紙幣搬送状態を検知するほか、入金口１２０や出金口１４０における紙幣有無、紙幣収納カセット２０１〜２０５における紙幣収納枚数等を検知し、その検知信号を制御部３００に出力する。
【００１９】
次に、図４を参照して、紙幣取扱装置１００の内部構成について説明する。
図４に示すように、入出金機構部１１６には、紙幣Ｂの入金を受け付ける入金口１２０と紙幣Ｂを出金する出金口１４０とを隣接配置して備える。金庫１１０の筐体部１１２には、紙幣識別部１７０と搬送機構部１８０と紙幣収納部２００とを収容して備える。紙幣識別部１７０の識別結果は、制御部３００（図３参照）に出力され、紙幣搬送先のカセットの決定、リジェクト搬送等に用いられる。
【００２０】
搬送部に相当する搬送機構部１８０は、入金口１２０および出金口１４０から紙幣収納部２００に掛けて、紙幣入金経路１８０ＩＮと紙幣出金経路１８０ＯＵＴとを形成する。この両経路の詳細については後述するが、紙幣入金経路１８０ＩＮは、入金口１２０から紙幣識別部１７０に到る上流側入金経路１８１を備える。紙幣出金経路１８０ＯＵＴは、紙幣識別部１７０から出金口１４０に到る下流側出金経路１８６を備える。これら経路を有する搬送機構部１８０は、上記の入出金経路にて入金口１２０と出金口１４０とを紙幣識別部１７０と紙幣収納部２００とに接続して紙幣を搬送する。紙幣収納部２００は、紙幣収納カセット２０１〜２０５を備え、それぞれのカセットに後述するように紙幣Ｂを収納する。
【００２１】
次に、図５、図６を参照して、実施例１の入出金口の構成について説明する。ここで、図５はシャッタ１５０が開いた状態の斜視図であり、図６は操作者が紙幣を取り出すときの側面図である。
【００２２】
図５に示すように、出金口１４０はシャッタ１５０を備え、シャッタ１５０は、閉状態の時は、矢印１５０ａの方向、即ち入金口１２０側にスライドして、出金口１４０の上方側全体を覆って紙幣Ｂの取り出し及び投入、手の挿入といった操作を制限する。開状態の時は、矢印１５０ｂの方向、即ち下方向にスライドして出金口１４０への操作を可能とする。シャッタ１５０の紙幣集積側空間側には、可動プレート１４１ａ、１４１ｂを実装している。
【００２３】
可動プレート１４１ａ、１４１ｂはシャッタ１５０が開状態になった時に、シャッタ側になるように支点１４２ａ、１４２ｂにより保持されている（記号ａ、ｂは紙幣取扱装置１００の正面から見て右側をａ、左側をｂとしており、図は省略するが、構成及び動作としては同じものである。なお、支点は、本図では左右で分断されているが、貫通されていていても構わない）。また、支点１４２ａ、１４２ｂには、可動プレート１４１ａ、１４１ｂが閉じる方向に付勢する図示しないばね部材が取り付けられている。可動プレート１４１ａ、１４１ｂは通常は、そのばね力によって閉じた状態になっている。
【００２４】
そして、可動プレート１４１ａ、１４１ｂは、支点１４２ａ、１４２ｂを支点として矢印１４３ａ，１４３ｂ方向にそれぞれ独立で開閉する。もしくは、可動プレート１４１ａ，１４１ｂが一体になっている場合は一体で開閉する。また、可動プレート１４１ａ、１４１ｂは閉じているときは集積されてくる紙幣を受け止める。操作者が紙幣Ｂを引き抜くときは、図６のように、可動プレート１４１ａ、１４１ｂは開いた状態になる。
【００２５】
図５、図６に示すように、実施例１の紙幣取扱装置は、紙幣Ｂを投入するための入金口１２０と、紙幣をＢ取り出すための出金口１４０と、出金口１４０の開口空間を遮断（制限）もしくは解放するように開閉するシャッタ１５０と、シャッタ１５０が閉じた閉状態でシャッタ１５０の下側に位置しシャッタ１５０が開いた開状態で保持点を支点１４２ａ、１４２ｂとして開閉する可動プレート１４１ａ、１４１ｂとを有する。保持点である支点１４２ａ、１４２ｂは、シャッタ１５０が開いた開状態でシャッタ側に位置する。
【００２６】
また、出金口１４０には、入金取引中に発生したリジェクト紙幣が搬送される。可動プレート１４１ａ、１４１ｂは、一端が保持点である支点１４２ａ、１４２ｂにより保持され他端は保持されず、前記保持点を支点として操作者側に開閉する。
【００２７】
そして、シャッタ１５０は、閉状態においては、入金口側にスライドして出金口１４０の開口空間を遮断する。一方、シャッタ１５０は、開状態においては、入金口側とは反対側にスライドして出金口１４０の開口空間を解放する。可動プレート１４１ａ、１４１ｂは、出金口１４０に搬送されてくる紙幣Ｂを閉状態で受け止め、１４０出金口に搬送された紙幣Ｂを取り出す際に開状態になる。
【００２８】
実施例１によれば、シャッタ１５０と可動プレート１４１ａ、１４１ｂを有し、シャッタ１５０が開いたままでも集積される紙幣Ｂの整列性を安定させることができる。つまり、紙幣Ｂの抜き取れ性を改善することができる。
【００２９】
さらに、実施例１によれば、可動プレート１４１ａ、１４１ｂがシャッタ１５０に挟み込まれてシャッタ１５０が動作不良になることを防止できる。つまり、シャッタ１５０が開閉するときに可動プレート１４１ａ、１４１ｂと衝突してシャッタ１５０の閉障害が発生することを防止できる。
【００３０】
このように、実施例１の紙幣取扱装置によれば、可動プレート１４１ａ、１４１ｂが閉まっていなくても、シャッタ１５０が可動プレート１４１ａ、１４１ｂを閉じながら閉めることができる。このため、シャッタ１５０の動作不良を防止でき信頼性の高い紙幣取扱装置を提供できる。
【００３１】
次に、図７を参照して、入金搬送処理について説明する。
図７に示すように、紙幣入金経路１８０ＩＮは、入金口１２０から延びて筐体部１１２を経由し、紙幣識別部１７０に到る。その後、紙幣入金経路１８０ＩＮは、紙幣識別部１７０の経路下流の方向転換ローラー１８０ｒで折り返し、紙幣識別部１７０より下方側に位置する紙幣収納部２００の各カセットの並びに沿って紙幣収納カセット２０５まで延びる。こうした経路軌跡を有する紙幣入金経路１８０ＩＮは、入金口１２０から紙幣識別部１７０に到るまでを上流側入金経路１８１とし、当該経路より下流の経路を下流側入金経路１８２とする。
【００３２】
搬送機構部１８０は、下流側入金経路１８２を、紙幣識別部１７０を通過して方向転換ローラー１８０ｒまで延びる第１主搬送経路１８３と、方向転換ローラー１８０ｒで折り返して水平方向に延びて紙幣収納部２００の紙幣収納カセット２０５に到る第２主搬送経路１８４とで形成する。入金口１２０に投入された紙幣Ｂは、１枚ずつ分離されて搬送路へと繰り出される。搬送機構部１８０は、搬送路へ繰り出された紙幣Ｂを紙幣入金経路１８０ＩＮの経路に沿って入金搬送し、紙幣識別部１７０の識別結果に応じて紙幣収納カセット２０１〜２０５のいずれかに入金搬送する。
【００３３】
紙幣識別部１７０でリジェクト券と判断された紙幣は、ゲート２０５ｂを経由して下流側出金経路１８６を通り出金口１４０に搬送する。この時、入金時シャッタ１５０は開いた状態になっているので、操作者は、出金口１４０に集積されたリジェクト紙幣を、可動プレート１４１ａ、１４１ｂの間に手を入れて、可動プレート１４１ａ、１４１ｂを下方向に付勢するばね力以上の力で紙幣Ｂを引き抜く。その後、必要に応じて、入金口１２０に再度紙幣Ｂをセットすることで再入金をする。
【００３４】
次に、図８を参照して、入金取引のシャッタ動作について説明する。
紙幣取扱装置１００が待機状態（Ｓ１２０１）になると、入金ボタンの押下を監視する（Ｓ１２０２）。入金ボタンの押下を契機に、シャッタ１５０を開け（Ｓ１２０３）、入金部１２０に置かれた紙幣の分離及び搬送を開始（Ｓ１２０４）する。紙幣の搬送中は、シャッタ１５０は開状態を保持する。
【００３５】
紙幣搬送終了（Ｓ１２０５）後は、出金口１４０に紙幣が無いかを判定（Ｓ１２０６）し、出金口１４０に搬送されたリジェクト紙幣が全て取り出されるのを待つ。出金口１４０に紙幣が無くなったら、シャッタ１５０を閉じる（Ｓ１２０７）。その後、取引を終了（Ｓ１２０８）する。
【００３６】
ここでは、入金ボタンの押下を監視することにより、紙幣の分離開始及びシャッタ１５０を開けるタイミングを判断した。しかし、入金ボタンを設けずに、図３の制御部３００が入金命令を受けた時点で紙幣の分離を開始するものとし、その前にシャッタ１５０を開けることも可能である。
【００３７】
次に、図９を参照して、出金搬送処理について説明する。
図３の操作端末Ｐから上位通信部３０３を通じて、出金命令を受けた制御部３００は駆動モータ群１８９を制御し、紙幣収納カセット２０１〜２０５から紙幣Ｂを出金口１４０へ、操作端末Ｐから指定された枚数分の紙幣収納カセット２０１〜２０５から紙幣Ｂを移動させる。一例として、出金紙幣リジェクト庫を紙幣収納カセット２０４に割り当てた場合の搬送経路を説明する。
【００３８】
紙幣収納カセット２０１、２０２、２０３から繰り出された紙幣は、紙幣出金経路１８０ＯＵＴを通って紙幣識別部１７０で、正常券かリジェクト券かを判断する。正常券と判断された紙幣は、ゲート１６３を経由して下流側出金経路１８６を通って出金口１４０に搬送する。リジェクト券と判断された紙幣は、ゲート２０４ｂでカセット２０４の出金紙幣リジェクト庫に搬送する。その後シャッタ１５０が開いて、可動プレート１４１ａ、１４１ｂの中央に手を入れて紙幣をとりだす。
【００３９】
次に、図１０を参照して、出金取引のシャッタ動作について説明する。
紙幣取扱装置１００が待機状態（Ｓ１３０１）になると、出金ボタンの押下を監視する（Ｓ１３０２）。出金ボタンの押下を契機に、シャッタ１５０を閉め（Ｓ１３０３）、紙幣収納部２００から紙幣の分離及び搬送を開始（Ｓ１３０４）する。紙幣の搬送中は、シャッタ１５０は閉状態を保持する。紙幣搬送終了（Ｓ１３０５）後は、シャッタ１５０を開け（Ｓ１３０６）、出金口１４０から紙幣を取り出せる状態にする。その後、取引を終了（Ｓ１３０７）する。
【実施例２】
【００４０】
次に、図１１、図１２を参照して、実施例２の入出金口の構成について説明する。
ここで、図１１はシャッタ１５０が開いた状態の側面図であり、図１２は操作者が紙幣を取り出すときの側面図である。
【００４１】
図１１に示すように、第１の可動プレート１４１ａ、１４１ｂの対向側に、第２の可動プレート１４５ａ、１４５ｂを実装している。第２の可動プレート１４５ａ、１４５ｂは支点１４６ａ、１４６ｂにより保持されており（記号ａ、ｂは前述のとおりである。なお、前述と同様に支点１４６ａ、１４６ｂは貫通されていていても構わない）、矢印１４７ａ、１４７ｂ方向に開閉する。また、支点１４６ａ、１４６ｂには、第２の可動プレート１４５ａ、１４５ｂが閉じる方向に付勢する図示しないばね部材が取り付けられていて、可動プレート１４５ａ、１４５ｂは通常は閉じた状態になっている。また、閉じた状態では、第２の可動プレート１４５ａ、１４５ｂは第１の可動プレート１４１ａ、１４１ｂの下側になっている。
【００４２】
そして、第２の可動プレート１４５ａ、１４５ｂは、支点１４６ａ、１４６ｂとして矢印１４７ａ、１４７ｂ方向にそれぞれ独立で開閉する。もしくは、第２の可動プレート１４５ａ、１４５ｂが一体になっている場合は一体で開閉する。第１の可動プレート１４１ａ、１４１ｂは出金口１４０を部分的に覆い、残りの部分を第２の可動プレート１４５ａ、１４５ｂが覆う。これにより、実施例２の第１の可動プレート１４１ａ、１４１ｂの長さは、実施例１の図６に示す可動プレート１４１ａ、１４１ｂの長さのより短くなっている。
【００４３】
また、図１２に示すように、第１の可動プレート１４１ａ、１４１ｂ及び第２の可動プレート１４５ａ、１４５ｂが一番開いた状態でも、第２の可動プレート１４５ａ、１４５ｂは第１の可動プレート１４１ａ、１４１ｂの下側になるように構成されている。その他の紙幣取扱装置の構成及び動作については実施例１と同じなのでその説明は省略する。
【００４４】
図１１、図１２に示すように、実施例２の紙幣取扱装置は、紙幣Ｂを投入するための入金口１４０と、紙幣Ｂを取り出すための出金口１２０と、出金口１２０の開口空間を遮断もしくは解放するように開閉するシャッタ１５０と、シャッタ１５０が閉じた閉状態でシャッタ１５０の下側に位置し、シャッタ１５０が開いた開状態で第１の保持点を支点１４２ａ、１４２ｂとして開閉する第１の可動プレート１４１ａ、１４１ｂと、第１の可動プレート１４１ａ、１４１ｂの下側に設けられ、第１の保持点と異なる第２の保持点を支点１４６ａ、１４６ｂとして開閉する第２の可動プレート１４５ａ、１４５ｂとを有する。
【００４５】
第１の可動プレート１４１ａ、１４１ｂの第１の保持点（支点１４２ａ、１４２ｂ）は、シャッタ１５０が開いた開状態でシャッタ側に位置し、第２の可動プレート１４５ａ、１４５ｂの第２の保持点（支点１４６ａ、１４６ｂ）は、シャッタ側とは反対側に位置する。
【００４６】
また、第１の可動プレート１４１ａ、１４１ｂは、開口空間の一部分を覆い、第２の可動プレート１４５ａ、１４５ｂは、開口空間の他の部分を覆う。そして、第１の可動プレート１４１ａ、１４１ｂ及び第２の可動プレート１４１ａ、１４１ｂは、閉状態で開口空間の全ての部分を覆う。
【００４７】
また、第２の可動プレート１４５ａ、１４５ｂは、一端が第２の保持点（支点１４６ａ、１４６ｂ）により保持され他端は保持されず、第２の可動プレート１４５ａ、１４５ｂの他端は、開状態及び閉状態において第１の可動プレート１４１ａ、１４１ｂの下側に位置する。
【００４８】
実施例１では、図６に示すように、開口空間を全部覆おうとする可動プレートは、その長さが長くなる。このため、操作者が出金口１４０から紙幣Ｂを抜き取ろうとするときに邪魔になって操作性が悪い。そこで、実施例２では、図１１、図１２に示すように、第１の可動プレート１４１ａ、１４１ｂにより開口空間を部分的に覆い、第１の可動プレート１４１ａ、１４１ｂとは異なる第２の可動プレート１４５ａ、１４５ｂにより開口空間の残りを覆う。
【００４９】
実施例２では、可動プレートの長さを短くできるので、操作者が紙幣Ｂを取り出すときの操作性が良い。さらには、反対側の可動プレート（第２の可動プレート１４５ａ、１４５ｂ）も可動するので、紙幣Ｂを抜き取りするときに邪魔するものがなく紙幣Ｂを容易に抜き取りすることができる。
【実施例３】
【００５０】
次に、図１３を参照して、実施例３の入出金口の構成について説明する。
図１３に示すように、実施例３では、可動プレート１４１ａ、１４１ｂが透明となっており、光源１４９が出金口１４０の付近に実装されている。リジェクト紙幣や出金紙幣が出金口１４０にある場合に、操作者にその存在をわからせるために、図示しない電源制御部により光源１４９を発光させる。光源１４９は点灯もしくは点滅もしくはそれらの両方でもよい。その他の紙幣取扱装置の構成及び動作については実施例１と同じなのでその説明は省略する。
【００５１】
図１３に示すように、実施例３の紙幣取扱装置は、可動プレート１４１ａ、１４１ｂは、透明のプレートで形成されている。そして、光源１４９が出金口１４０の所定位置に設けられ、透明の可動プレート１４１ａ、１４１ｂに光を照射する。
【００５２】
実施例３によれば、可動プレート１４１ａ、１４１ｂは、透明のプレートで形成されているため、紙幣集積のタイミングで近傍の光源１４９によって点灯もしくは点滅する。これにより、操作者が紙幣Ｂの存在に気づき、紙幣抜き取り忘れがなくなる。この結果、その後の係員処理が不要となって、装置ダウンの時間の最小化を図ることができる。
【符号の説明】
【００５３】
１００  紙幣取扱装置
１１０  金庫
１１２  筐体部
１１３  金庫扉
１１６  入出金機構部
１１８  操作パネル
１２０  入金口
１４０  出金口
１４１ａ、１４１ｂ  第１の可動プレート
１４５ａ、１４５ｂ  第２の可動プレート
１４９  光源
１５０  シャッタ
１７０  紙幣識別部
１８０  搬送機構部
１８８  検知センサ
１８９  駆動モータ
２００  紙幣収納部
２０１〜２０５  紙幣収納カセット
３００  制御部
３０１  主制御部
３０２  メモリ
３０３  上位通信部
Ｂ  紙幣
Ｍ  窓口係員
Ｋ  顧客
Ｄ  顧客応対テーブル
Ｐ  操作端末
【図１】
2020027310.tif 000003
【図２】
2020027310.tif 000004
【図３】
2020027310.tif 000005
【図４】
2020027310.tif 000006
【図５】
2020027310.tif 000007
【図６】
2020027310.tif 000008
【図７】
2020027310.tif 000009
【図８】
2020027310.tif 000010
【図９】
2020027310.tif 000011
【図１０】
2020027310.tif 000012
【図１１】
2020027310.tif 000013
【図１２】
2020027310.tif 000014
【図１３】
2020027310.tif 000015